(57)【要約】【課題】電線の接続作業を容易に行うことができるようにする。【解決手段】電線接続補助具１は、２本の電線Ａ，Ａの端部において絶縁被覆が剥がされる芯線部分Ｂ，Ｂ同士を長手方向に重ね合わせ、この重なった部分を圧着スリーブＣで圧着して２本の電線を接続する場合に用いられる。電線接続補助具１は、重ね合わされる芯線部分Ｂの端部を受ける受け部２と、電線Ａの絶縁被覆の部分に着脱自在に取り付けられるとともに、前記受け部２を支持する支持部３とを有することを特徴とする。【選択図】図１
2011249077.tif 000002
【特許請求の範囲】
【請求項１】
２本の電線の端部において絶縁被覆が剥がされる芯線部分同士を長手方向に重ね合わせ、この重なった部分を圧着スリーブで圧着して２本の電線を接続する場合に用いられる電線接続補助具であって、
重ね合わされる芯線部分の端部を受ける受け部と、電線に着脱自在に取り付けられるとともに前記受け部を支持する支持部とを有することを特徴とする電線接続補助具。
【請求項２】
前記受け部は、前記芯線部分の端部を受ける受け面と、芯線部分が受け面に当接した状態で、芯線部分の位置を規制する規制部とを有する請求項１に記載の電線接続補助具。
【発明の詳細な説明】
【技術分野】
【０００１】
本発明は、例えば、Ｃ型スリーブ等の圧着スリーブを用いて電線を接続する場合に用いる電線接続補助具に関する。
【背景技術】
【０００２】
従来、例えば、電柱に設けられる変圧器と屋内引き込み線その他の電線とを接続する場合には、予め変圧器に接続されている電線と屋内引き込み線の端部同士を、Ｃ型スリーブを用いて接続する。
【０００３】
より具体的には、接続される２本の電線の端部の絶縁被覆をはぎ取って所定の長さだけ芯線を露出させ、２本の電線の芯線の部分を重ね、この重なった部分をＣ型スリーブの内側に入れた後、圧着工具によってＣ型スリーブを圧縮することにより、２本の電線を接続する（例えば特許文献１参照）
【先行技術文献】
【特許文献】
【０００４】
【特許文献１】特開２００９−４８７７９号公報
【発明の概要】
【発明が解決しようとする課題】
【０００５】
例えば、上下方向において２本の電線を接続する場合、上側の電線における芯線の露出部分と、下側の電線における芯線の露出部分とを上下に重ね合わせたとき、少なくとも下側の電線を作業者が一方の手にもち、芯線の重なった状態を維持しながら、他方の手に圧着工具を持ってＣ型スリーブを圧縮しなければならない。
【０００６】
このため、２本の電線の芯線部分が重なった状態を維持しながら、Ｃ型スリーブを圧縮することは、非常に煩雑であり、芯線部分の重なりが大きくずれてしまう場合もあり、接続作業が困難であった。
【０００７】
本発明は上記の事情に鑑みてなされたものであり、電線の接続を容易に行うことができる電線接続補助具を提供することを課題とする。
【課題を解決するための手段】
【０００８】
本発明は、上記の課題を解決するためのものであって、２本の電線の端部において絶縁被覆が剥がされる芯線部分同士を長手方向に重ね合わせ、この重なった部分を圧着スリーブで圧着して２本の電線を接続する場合に用いられる電線接続補助具であって、重ね合わされる芯線部分の端部を受ける受け部と、電線に着脱自在に取り付けられるとともに前記受け部を支持する支持部とを有することを特徴とする。
【０００９】
かかる構成によれば、支持部によって、電線接続補助具を電線の所定の位置に取り付け、支持部に支持される受け部によって、電線の芯線の端部を受けることにより、芯線の長手方向における位置ずれを防止できるようになる。これによって、電線の接続作業を容易に行うことができるようになる。
【００１０】
また、本発明は、前記受け部が、前記芯線部分の端部を受ける受け面と、芯線部分が受け面に当接した状態で、芯線部分の位置を規制する規制部とを有する構成を採用できる。
【００１１】
かかる構成によれば、規制部によって芯線部分の位置を規制することによって、この芯線部分が受け部に当接した状態を維持でき、これによって電線の接続作業を容易に行うことができる。
【発明の効果】
【００１２】
本発明によれば、電線の接続作業を容易に行うことができるようになる。
【図面の簡単な説明】
【００１３】
【図１】第１実施形態に係る電線接続補助具を示し、（ａ）はその正面図、（ｂ）はその側面図である。
【図２】電線接続補助具を用いて電線を接続する方法を説明するための側面図である。
【図３】電線接続補助具を用いて電線を接続する方法を説明するための側面図である。
【図４】電線接続補助具を用いて電線を接続する方法を説明するための側面図である。
【図５】第２実施形態に係る電線接続補助具を示し、（ａ）はその正面図、（ｂ）はその側面図である。
【発明を実施するための形態】
【００１４】
以下、本発明を実施するための形態について図面を参照しながら説明する。
【００１５】
図１〜図４は、本発明に係る電線接続補助具の第１実施形態を示す。電線接続補助具１は、２本の電線Ａ，Ａの端部において絶縁被覆が剥がされる芯線部分Ｂ，Ｂ同士を長手方向に重ね合わせ、この重なった部分を圧着スリーブで圧着して２本の電線Ａ，Ａを接続する場合に用いられる。より具体的には、この電線接続補助具１は、例えば、Ｃ型スリーブＣを使用して２本の電線Ａを接続する場合に、接続部の位置決めを容易にするために使用される。電線接続補助具１は、絶縁性の材料（例えば合成樹脂等）によって形成される。
【００１６】
図１に示すように、電線接続補助具１は、絶縁被覆が剥がされた電線Ａの芯線部分Ｂの端部（先端）を受ける受け部２と、電線Ａに着脱自在に取り付けられるとともに、受け部２を支持する板状の支持部３とを有する。
【００１７】
受け部２は、支持部３の厚さ方向における一方の面から突出するように、支持部３に一体に形成されている。受け部２は、その突出端部に、電線Ａを受けるための凹部４を有する。この凹部４は、その底面が電線Ａの受けるための受け面５となっている。凹部４は、この受け面５を取り囲むように形成される壁部６を有する。壁部６は、図１に示すように、正面視において長円状の環状に構成されている。
【００１８】
より具体的には、壁部は、直線状に構成される第１壁部６ａ、第２壁部６ｂと、第１壁部６ａの長手方向の一端部と第２壁部６ｂの長手方向の一端部とを連結する第３壁部６ｃと、第１壁部６ａの他端部と第２壁部６ｂの他端部とを連結する第４壁部６ｄとを有する。
【００１９】
第１壁部６ａと第２壁部６ｂは互いに平行とされて離間されている。第１壁部６ａと第２壁部６ｂの離間間隔は、接続対象となる電線Ａの芯線の径よりも若干大きくされていることが望ましい。
【００２０】
第３壁部６ｃと第４壁部６ｄのそれぞれは、円弧状に形成されて第１壁部６ａの端部と第２壁部６ｂの端部とを連結している。第３壁部６ｃ及び第４壁部６ｄの曲率半径は、この接続対象となる電線Ａの芯線の径よりも若干大きくされていることが望ましい。
【００２１】
このような構成により、受け部２は、電線Ａの端部を受け面５で受けたときに、この電線Ａの端部が受け部２から外れないように、その位置を壁部６によって規制することができる。すなわち、この壁部６は、電線Ａの端部（芯線部分Ｂの先端）を受けたときに、この端部の位置を規制する規制部となっている。
【００２２】
支持部３は、図１及び図２に示すように長尺状に構成されている。この支持部３の長手方向の一端部には、支持部３を電線Ａに取り付けるための取付部７が形成されている。
【００２３】
この取付部７は、所定の曲率半径で構成される円弧状の第１突起部１１と、この第１突起部１１の先端と向かい合うように突出する第２突起部１２と、支持部３が電線Ａに取り付けられたときに、この電線Ａの外面に接触可能な接触面１３とを有する。
【００２４】
第１突起部１１と第２突起部１２は、所定の間隔で離間されている。第１突起部１１と第２突起部１２の間隔は、接続される電線Ａの外径（絶縁被覆部の外径）よりも小さくされることが望ましい。支持部３は、取付部７の第１突起部１１と第２突起部１２によって囲まれる空間に電線Ａを入れることができるようになっている。このとき、第１突起部１１と第２突起部１２との間の隙間が、電線Ａを支持部３に入れるための入口１４となる。第１突起部１１と第２突起部１２は、この入口１４から電線Ａが入る場合に、この入口１４の間隔を拡張すべく弾性変形可能に形成されている。
【００２５】
接触面１３は、第１突起部１１の円弧の内側の面から、第２突起部１２の内側の面にかけて連続状に形成されている。本実施形態では、この接触面１３は、所定の曲率半径による円弧状に構成される。この接触面１３の曲率半径は、支持部３が取り付けられる電線Ａの外径（絶縁被覆部分の外径）よりも若干小さくされることが望ましい。
【００２６】
以下、電線接続補助具１を用いて２本の電線Ａ，Ａを接続する方法について図２〜図４を参照しながら説明する。
【００２７】
この電線接続補助具１を使用して２本の電線Ａ，Ａを接続するには、まず、接続される２本の電線Ａ，Ａの端部の絶縁被覆を剥がして芯線部分Ｂを露出させた後、図２に示すように、各電線Ａ，Ａの絶縁被覆の部分に、電線接続補助具１を取り付ける。このとき、支持部３の入口１４を介して電線Ａを内側に通そうとすると、入口１４の隙間（第１突起部１１と第２突起部１２との間隔）が電線Ａの外径よりも小さくされていることから、第１突起部１１と第２突起部１２が、この隙間を広げるように弾性変形する（第１突起部１１の先端と第２突起部１２の先端とが離れるように変形する）。
【００２８】
これにより、電線Ａを取付部７の内側に入れることができる。この状態では、第１突起部１１と第２突起部１２の弾性変形が維持されており、これによる第１突起部１１と第２突起部１２の弾性復元力が生じている。接触面１３は、このような第１突起部１１と第２突起部１２の弾性復元力によって、電線Ａの外面に押しつけられた状態で接触を維持する。このような作用により取付部７は、電線Ａに固定される。
【００２９】
このとき、電線接続補助具１は、図２に示すように、受け部２の受け面５が、電線Ａの芯線部分Ｂの基部、すなわち、絶縁被覆の長手方向の縁部Ｄよりも、電線Ａの先端側に出るように配置（位置決め）されることが望ましい。このようにすることで、２本の電線Ａ，Ａを接続したときに、各電線Ａ，Ａの一方の芯線部分Ｂの先端が、他方の芯線部分Ｂの絶縁被覆に当たらないように、各電線Ａ，Ａの芯線部分Ｂの位置決めをすることができる。
【００３０】
電線接続補助具１は、２本の電線Ａ，Ａのそれぞれに取り付けられる。そして、電線Ａ，Ａの端部同士を向かい合わせ、各電線接続補助具１の受け部２が向かい合わせるようにする。このようにすることで、一方の電線Ａに取り付けた電線接続補助具１の受け部２によって、他方の電線Ａの芯線部分Ｂを受けることができ、他方の電線Ａに取り付けた電線接続補助具１の受け部２によって、一方の電線Ａの芯線部分Ｂを受けることができる。
【００３１】
次に、図３に示すように、２本の電線Ａ，Ａの芯線部分Ｂ，Ｂを電線Ａの長手方向で、接続に必要な長さ分だけ重ね合わせる。そして、電線Ａ，Ａの芯線部分Ｂ，Ｂの先端を対応する電線接続補助具１，１の受け部２，２の受け面５，５に当接させる。このとき、受け部２，２は、凹部４が長尺状に構成されていることから、重ねられている芯線部分Ｂ，Ｂが若干離れた位置に合ったとしても、これらを受けることができる。
【００３２】
なお、電線Ａ，Ａの芯線部分Ｂ，Ｂを重ね合わせる長さは、電線Ａを接続するために用いられる圧着スリーブの幅よりも若干長くすることが望ましい。これによって、電線Ａに芯線部分Ｂが圧着スリーブの幅方向の縁部から若干はみ出る状態となり、圧着スリーブの全幅を利用して確実な圧着を行うことができる。
【００３３】
壁部６は、第１壁部６ａと第２壁部６ｂが直線状に構成されていることから、その長手方向への芯線部分Ｂの移動を許容する。しかし、第１壁部６ａと第２壁部６ｂの間隔が芯線部分Ｂの径よりも若干大きいだけであるので、壁部６はその長手方向に直行する幅方向において、芯線部分Ｂ，Ｂが移動しないように第１壁部６ａ，第２壁部６ｂによってその位置を規制する。
【００３４】
また、壁部６は、第１壁部６ａ，第２壁部６ｂの端部同士を第３壁部６ｃと第４壁部６ｄで連結して環状に構成されているため、凹部４に入っている芯線部分Ｂが第１壁部６ａ、第２壁部６ｂの長手方向に沿って移動した場合であっても、この芯線部分Ｂが第３壁部６ｃ又は第４壁部６ｄまで到達したときは、それ以上同じ方向に移動できないように、第３壁部６ｃ、第４壁部６ｄによって芯線部分Ｂの位置が規制される。
【００３５】
次に、図４に示すように、芯線部分Ｂ，Ｂが重ねられている部分を圧着スリーブの内側に入れる。なお、図４では圧着スリーブとしてＣ型スリーブＣを例示している。そして、この状態から、圧着工具によってＣ型スリーブＣを徐々に圧着していく。この圧着に伴って、重ね合わされている芯線部分Ｂ，ＢはＣ型スリーブＣの変形に応じて、互いに徐々に近づいていく。
【００３６】
このようにして圧着を続け、圧着完了直前に、各電線接続補助具１，１を電線Ａ，Ａから取り外し、最後にＣ型スリーブＣを完全に圧縮し、以上によって電線Ａの接続作業が完了する。
【００３７】
以上説明した本実施形態に係る電線接続補助具１によれば、取付部７が電線Ａに取り付けられることによって、支持部３によって、電線接続補助具１を電線Ａの所定の位置に取り付け、支持部３に支持される受け部２によって、電線Ａの芯線部分Ｂの端部を受けることにより、芯線部分Ｂの長手方向における位置ずれを防止できるようになる。これによって、電線Ａの接続作業を容易に行うことができるようになる。
【００３８】
また、前記受け部２は、芯線部分Ｂが受け面５に当接した状態で、芯線部分Ｂの位置を規制する規制部を有することにから、規制部によって芯線部分Ｂの位置を規制することによって、この芯線部分Ｂが受け部２に当接した状態を維持でき、電線Ａ，Ａの接続作業を容易に行うことができる。
【００３９】
図５は本発明に係る電線接続補助具１の第２実施形態を示す。この実施形態では、電線接続補助具１の受け部２の構成が第１実施形態と異なる。第１実施形態では、受け部２に形成される凹部４の壁部６が正面視において連続的に繋がった環状に構成されていたが、本実施形態では、壁部６は環状に構成されていない。
【００４０】
すなわち、第１実施形態では、受け部２の凹部４が、第１壁部６ａ、第２壁部６ｂ、第３壁部６ｃ、第４壁部６ｄによって環状に構成された壁部６を有していたが、本実施形態における壁部６は、第１実施形態と比べて、取付部７側に形成されていた第４壁部６ｄを有していない。
【００４１】
壁部６は、図５（ａ）に示すように、第１実施形態と同様な直線状の第１壁部６ａ、第２壁部６ｂ、及び第１壁部６ａの端部（取付部７側の端部とは反対側の端部）と第２壁部６ｂの端部（取付部７側の端部とは反対側の端部）とを連結する円弧状の第３壁部６ｃによって、その長手方向の一端部が開放されたＵ字状に構成されている。
【００４２】
より具体的には、壁部６は、所定の間隔で離間された２つの直線状の第１壁部６ａ及び第２壁部６ｂと、第１壁部６ａ及び第２壁部６ｂの一端部同士を連結する第３壁部６ｃとを有する。第１壁部６ａと第２壁部６ｂは、取付部７側の端部が繋がっておらず、離間した状態で開放されている。
【００４３】
壁部６を環状に構成せずに、取付部７側の部分を開放する構成を採用することにより、受け面５で電線Ａの芯線部分Ｂの端部を受け面５によって受けた状態で、Ｃ型スリーブＣによって２本の芯線部分Ｂを圧着していくと、２本の芯線部分Ｂは、Ｃ型スリーブＣによって互いに接近していくこととなるが、圧着の最終の段階では、２本の芯線部分Ｂは、壁部６の開放されている端部からはみ出て互いに密着することとなる。
【００４４】
本実施形態では、このように、電線接続補助具１の受け部２によって電線Ａの芯線部分Ｂの部分の端部を受けた状態を維持しながら、圧着工具によるＣ型スリーブＣの最終の圧縮状態まで作業を行うことができ、この点で特に有用である。
【００４５】
なお、本発明は上記の実施形態に限らず、種々の変更及び変形が可能である。
【００４６】
例えば、上記実施形態では、取付部７の第１突起部１１は、円弧形状に構成された例を示したが、これに限らず、弾性変形可能であれば、他の形状を採用可能である。同様に、取付部７の接触面１３を正面視において円弧状に構成した例を示したが、これについても他の形状を採用可能である。
【００４７】
上記の実施形態では、Ｃ型スリーブＣによって２本の電線Ａ，Ａを接続する方法について例示したが、これに限らず、２本の電線Ａ，Ａの芯線部分Ｂを重ね、この重なる部分を圧縮可能なものであればよく、例えばＥ型スリーブその他の各種スリーブを用いて電線Ａ，Ａを接続する場合にも本発明を適用可能である。
【００４８】
上記の実施形態では、受け部２に形成される凹部４の第３壁部６ｃと第４壁部６ｄを円弧状に構成した例を示したが、これに限らず、これらの一方又は両方を直線状その他の形状に構成することも可能である。
【００４９】
また、上記の第１実施形態では、受け部２に形成される凹部４の壁部６を正面視においてほぼ長円状に構成された例を示したが、これに限らず、長方形状その他の種々の形状を採用できる。
【００５０】
上記の実施形態では、電線接続補助具１を電線Ａの絶縁被覆の部分に取り付けた例を示したが、芯線部分Ｂに取り付けて電線Ａの接続を行うようにしてもよい。この場合には、電線Ａの芯線部分Ｂの径よりも取付部７の接触面１３の曲率半径を大きくして、第１突起部１１と第２突起部１２の弾性変形による復元力によって芯線部分Ｂに電線接続補助具１を固定することが望ましい。
【符号の説明】
【００５１】
１…電線接続補助具、２…受け部、３…支持部、４…凹部、５…受け面、６…壁部、６ａ…第１壁部、６ｂ…第２壁部、６ｃ…第３壁部、６ｄ…第４壁部、７…取付部、１１…第１突起部、１２…第２突起部、１３…接触面、１４…入口、Ａ…電線、Ｂ…芯線部分、Ｃ…Ｃ型スリーブ、Ｄ…絶縁被覆の縁部
【図１】
2011249077.tif 000003
【図２】
2011249077.tif 000004
【図３】
2011249077.tif 000005
【図４】
2011249077.tif 000006
【図５】
2011249077.tif 000007